(57)【要約】【課題】土台や柱の水平方向の取付位置を調整することができる杭基礎用固定装置を提供する。【解決手段】本体１１が、地面に打ち込まれた基礎杭の上に取付可能であり、上部に取付面２１ｃを有している。位置調整部材１２が、回転円盤部２４と取付部２５とを有している。回転円盤部２４は、取付面２１ｃに対して垂直な中心軸で回転可能に、取付面２１ｃに取り付けられている。取付部２５は、回転円盤部２４の所定の半径方向に沿って回転円盤部２４の中心部から周縁部までスライド可能に、回転円盤部２４から上方に突出して設けられている。取付部２５は、土台１および柱２を取付可能で、所定の範囲内で水平方向に移動可能になっている。【選択図】図１
2008261189.tif 000002
【特許請求の範囲】
【請求項１】
地面に打ち込まれた基礎杭に土台や柱を固定するための杭基礎用固定装置であって、
本体と位置調整部材とを有し、
前記本体は前記基礎杭の上に取付可能に設けられ、
前記位置調整部材は前記本体の上部から突出し前記土台を貫通して前記柱に取付可能であって水平方向に移動可能に前記本体に設けられていることを、
特徴とする杭基礎用固定装置。
【請求項２】
前記本体は上部に取付面を有し、
前記位置調整部材は回転円盤部と取付部とを有し、前記回転円盤部は前記取付面に対して垂直な中心軸を中心として回転可能に前記取付面に取り付けられ、前記取付部は前記回転円盤部の中心部から周縁部まで半径方向に沿ってスライド可能に前記回転円盤部から上方に突出して設けられていることを、
特徴とする請求項１記載の杭基礎用固定装置。
【請求項３】
前記本体は前記取付面に円形の取付孔を有し、
前記回転円盤部は共通の中心軸を有して互いに重ね合わせられた下部円盤と中央円盤と上部円盤とを有し、前記下部円盤は前記取付孔より大きい径を有して前記取付孔の下部に配置され、所定の半径方向に沿って中心部から周縁部まで伸びて厚み方向に貫通した下部貫通孔を有し、前記中央円盤は前記取付孔に挿入可能な径を有して前記取付孔に挿入され、前記下部貫通孔より広い幅を有して前記下部貫通孔の長さ方向に沿って中心部から周縁部まで伸びて厚み方向に貫通した中央貫通孔を有し、前記上部円盤は前記取付孔より大きい径を有して前記取付孔の上部に配置され、前記下部貫通孔と同じ幅を有して前記中央貫通孔の長さ方向に沿って中心部から周縁部まで伸びて厚み方向に貫通した上部貫通孔を有し、
前記取付部は多角ナットと前記多角ナットに螺合可能なボルトとを有し、前多角ナットは前記中央貫通孔の幅と同じ二面幅を有して前記中央貫通孔に挿入され、前記ボルトは先端が前記回転円盤部から上方に突出するよう、前記下部貫通孔、前記中央貫通孔および前記上部貫通孔に挿入され、前記中央貫通孔で前記多角ナットに螺合していることを、
特徴とする請求項２記載の杭基礎用固定装置。
【請求項４】
前記本体は基板と杭取付部材と高さ調整部材とを有し、
前記基板は、前記取付面を有し、貫通する雌ネジ孔を有し、
前記杭取付部材は、筒状をなし、内部に基礎杭の頭部を挿入可能であって前記取付面の反対面で前記基板に固定され、
前記高さ調整部材は前記基板の雌ネジ孔に螺合して前記土台の取付高さを調整可能に設けられていることを、
特徴とする請求項１、２または３記載の杭基礎用固定装置。
【発明の詳細な説明】
【技術分野】
【０００１】
本発明は、杭基礎用固定装置に関する。
【背景技術】
【０００２】
従来、建物の杭基礎構造として、地面に打ち込まれた基礎杭の上に、鋼梁や支持ステーを固定し、その上に土台や柱を固定するものがある（例えば、特許文献１または２参照）。
【０００３】
【特許文献１】特開２０００−５４３７６号公報
【特許文献２】特開２００１−３０３６６２号公報
【発明の開示】
【発明が解決しようとする課題】
【０００４】
しかしながら、特許文献１および２に記載の杭基礎構造では、土台や柱の取付高さを調整することはできるが、水平方向の取付位置のずれを調整するのは困難であるという課題があった。例えば、基礎杭を地面に打ち込むとき、基礎杭が地中の硬い岩塊などにあたると打込み方向が曲がって設置位置が水平方向にずれることがある。基礎杭がずれたまま建物を施工すると建物が歪むため、従来は基礎杭を打ち直していた。
【０００５】
本発明は、このような課題に着目してなされたもので、土台や柱の水平方向の取付位置を調整することができる杭基礎用固定装置を提供することを目的とする。
【課題を解決するための手段】
【０００６】
上記目的を達成するために、本発明に係る杭基礎用固定装置は、地面に打ち込まれた基礎杭に土台や柱を固定するための杭基礎用固定装置であって、本体と位置調整部材とを有し、前記本体は前記基礎杭の上に取付可能に設けられ、前記位置調整部材は前記本体の上部から突出し前記土台を貫通して前記柱に取付可能であって水平方向に移動可能に前記本体に設けられていることを、特徴とする。
【０００７】
本発明に係る杭基礎用固定装置は、本体を基礎杭の上に取り付け、位置調整部材に土台および柱を取り付けて使用される。位置調整部材が所定の範囲内で水平方向に移動可能であるため、土台や柱の取付位置を水平方向で調整することができる。このため、基礎杭が水平方向にずれて打ち込まれても、位置調整部材により土台や柱の水平方向の取付位置を調整して、建物を建築することができる。これにより、基礎杭を打ち直す時間やコストを省くことができ、基礎杭のずれにより建物が歪むのを防止することもできる。
【０００８】
位置調整部材が本体の上部から上方に突出して設けられているため、例えば以下のようにして土台および柱を取り付けることができる。土台に厚み方向に貫通した孔を設け、その孔に位置調整部材を貫通して土台を固定し、土台の孔を貫通した位置調整部材の先端に、柱の下端部を固定する。こうして、本発明に係る杭基礎用固定装置により、土台および柱を基礎杭に固定することができる。
【０００９】
本発明に係る杭基礎用固定装置で、前記本体は上部に取付面を有し、前記位置調整部材は回転円盤部と取付部とを有し、前記回転円盤部は前記取付面に対して垂直な中心軸を中心として回転可能に前記取付面に取り付けられ、前記取付部は前記回転円盤部の中心部から周縁部まで半径方向に沿ってスライド可能に前記回転円盤部から上方に突出して設けられていることが好ましい。この場合、取付部に土台および柱を取り付けて使用される。回転円盤部を回転させて取付部をスライドさせる方向を調整し、取付部のスライド量を調整することにより、所定の範囲内で土台や柱の水平方向の取付位置を調整することができる。
【００１０】
さらに、本発明に係る杭基礎用固定装置では、前記本体は前記取付面に円形の取付孔を有し、前記回転円盤部は共通の中心軸を有して互いに重ね合わせられた下部円盤と中央円盤と上部円盤とを有し、前記下部円盤は前記取付孔より大きい径を有して前記取付孔の下部に配置され、所定の半径方向に沿って中心部から周縁部まで伸びて厚み方向に貫通した下部貫通孔を有し、前記中央円盤は前記取付孔に挿入可能な径を有して前記取付孔に挿入され、前記下部貫通孔より広い幅を有して前記下部貫通孔の長さ方向に沿って中心部から周縁部まで伸びて厚み方向に貫通した中央貫通孔を有し、前記上部円盤は前記取付孔より大きい径を有して前記取付孔の上部に配置され、前記下部貫通孔と同じ幅を有して前記中央貫通孔の長さ方向に沿って中心部から周縁部まで伸びて厚み方向に貫通した上部貫通孔を有し、前記取付部は多角ナットと前記多角ナットに螺合可能なボルトとを有し、前多角ナットは前記中央貫通孔の幅と同じ二面幅を有して前記中央貫通孔に挿入され、前記ボルトは先端が前記回転円盤部から上方に突出するよう、前記下部貫通孔、前記中央貫通孔および前記上部貫通孔に挿入され、前記中央貫通孔で前記多角ナットに螺合していることが好ましい。この場合、中央円盤が取付孔に挿入された状態で、取付面に対して垂直な中心軸で回転円盤部を回転させることができる。また、ボルトを下部貫通孔、中央貫通孔および上部貫通孔に沿ってスライドさせることができる。これにより、取付部を所定の範囲内で水平方向に移動させて、土台や柱の水平方向の取付位置を調整することができる。多角ナットが中央貫通孔の幅と同じ二面幅を有して中央貫通孔に挿入されているため、ボルトを回転させても多角ボルトは回転せず、ボルトを締めてボルトの頭部と多角ナットとで下部円盤を挟んで取付部を固定し、ボルトを緩めて取付部をスライド可能にすることができる。多角ナットとしては、四角ナットや六角ナットを用いることができる。
【００１１】
さらに、本発明に係る杭基礎用固定装置において、前記本体は基板と杭取付部材と高さ調整部材とを有し、前記基板は、前記取付面を有し、貫通する雌ネジ孔を有し、前記杭取付部材は、筒状をなし、内部に基礎杭の頭部を挿入可能であって前記取付面の反対面で前記基板に固定され、前記高さ調整部材は前記基板の雌ネジ孔に螺合して前記土台の取付高さを調整可能に設けられていることが好ましい。この場合、高さ調整部材を回転させて基板に対し移動させ、土台の取付高さを調整することができる。
【発明の効果】
【００１２】
本発明によれば、土台や柱の水平方向の取付位置を調整することができる杭基礎用固定装置を提供することができる。
【発明を実施するための最良の形態】
【００１３】
以下、図面に基づき、本発明の実施の形態について説明する。
図１乃至図３は、本発明の実施の形態の杭基礎用固定装置を示している。
図１および図２に示すように、杭基礎用固定装置１０は、本体１１と位置調整部材１２とを有している。
【００１４】
図１および図２に示すように、本体１１は、基板２１と杭取付部材２２と２つの高さ調整部材２３とを有している。基板２１は、ほぼ矩形状を成し、４つの隅部が面取りされている。基板２１は、１つの隅部寄りの位置に、厚み方向に貫通し、所定の径を有する円形の取付孔２１ａを有している。また、基板２１は、取付孔２１ａに対して反対側の側縁部と端部とに、円形の調整用孔２１ｂを有している。調整用孔２１ｂは、内側に雌ネジが形成されている。なお、基板２１は、一方の表面が取付面２１ｃを成している。
【００１５】
杭取付部材２２は、正方形の枠状の断面形状を有する筒形状を成し、内部に基礎杭の頭部を挿入可能になっている。杭取付部材２２は、基板２１の取付面２１ｃの反対面２１ｄに、溶接により固定されている。杭取付部材２２は、内部を貫通する中心軸が取付孔２１ａの中心に一致し、各側面が基板２１の側縁および端縁に平行になるよう、基板２１に取り付けられている。各高さ調整部材２３は、調整用孔２１ｂに螺合可能な六角ボルトから成り、取付面２１ｃの反対面２１ｄの側に頭部が位置するよう、それぞれ調整用孔２１ｂに螺合している。本体１１は、杭取付部材２２の内部に基礎杭の頭部を挿入し、取付面２１ｃを上にして基礎杭の上に取付可能である。
【００１６】
図１乃至図３に示すように、位置調整部材１２は、回転円盤部２４と取付部２５とを有している。回転円盤部２４は、共通の中心軸を有して互いに重ね合わせられた下部円盤２６と中央円盤２７と上部円盤２８とから成っている。図３に示すように、下部円盤２６は、取付孔２１ａより大きい径を有し、所定の半径方向に沿って中心部から周縁部まで伸びて厚み方向に貫通した下部貫通孔２６ａを有している。中央円盤２７は、取付孔２１ａの径よりわずかに小さく、取付孔２１ａに挿入可能な径を有し、下部貫通孔２６ａの長さ方向に沿って中心部から周縁部まで伸びて厚み方向に貫通した中央貫通孔２７ａを有している。中央貫通孔２７ａは、下部貫通孔２６ａより広い幅を有し、細長い六角形の平面形状を成し、周縁部側の先端が周縁部に開いている。上部円盤２８は、取付孔２１ａより大きい径を有し、中央貫通孔２７ａの長さ方向に沿って中心部から周縁部まで伸びて厚み方向に貫通した上部貫通孔２８ａを有している。上部貫通孔２８ａは、下部貫通孔２６ａと同じ幅を有している。
【００１７】
回転円盤部２４は、下部円盤２６が取付孔２１ａの下部の、杭取付部材２２の内部に配置され、中央円盤２７が基板２１の厚み内で取付孔２１ａに挿入され、上部円盤２８が取付孔２１ａの上部に配置されるよう、本体１１の取付面２１ｃに取り付けられている。これにより、回転円盤部２４は、中央円盤２７が取付孔２１ａに挿入された状態で、取付面２１ｃに対して垂直な中心軸を中心として回転可能になっている。
【００１８】
図１および図２に示すように、取付部２５は、六角ナット２９と、その六角ナット２９に螺合可能なボルト３０と、ワッシャ３１とを有している。図１および図３（ｂ）に示すように、六角ナット２９は、中央貫通孔２７ａの幅と同じ二面幅を有して中央貫通孔２７ａにその長さ方向に移動可能に挿入されている。図１および図２に示すように、ボルト３０は、先端が回転円盤部２４から上方に突出するよう、下部貫通孔２６ａ、中央貫通孔２７ａおよび上部貫通孔２８ａに挿入され、中央貫通孔２７ａで六角ナット２９に螺合している。ワッシャ３１は、ボルト３０を挿入させて、ボルト３０の頭部と下部円盤２６との間に設けられている。こうして、取付部２５は、ボルト３０を下部貫通孔２６ａ、中央貫通孔２７ａおよび上部貫通孔２８ａに沿ってスライドさせることにより、回転円盤部２４の所定の半径方向に沿って、回転円盤部２４の中心部から周縁部までスライド可能になっている。
【００１９】
次に、作用について説明する。
杭基礎用固定装置１０は、杭取付部材２２の内部に、地面に打ち込まれた基礎杭の頭部を挿入して本体１１を基礎杭の上に取り付け、位置調整部材１２の取付部２５に土台１および柱２を取り付けて使用される。回転円盤部２４を回転させて取付部２５をスライドさせる方向を調整し、取付部２５のスライド量を調整することにより、所定の範囲内で土台１や柱２の水平方向の取付位置を調整することができる。また、六角ナット２９が中央貫通孔２７ａの幅と同じ二面幅を有して中央貫通孔２７ａに挿入されているため、ボルト３０を回転させても六角ボルト３０は回転しない。このため、ボルト３０を締め付ければボルト３０の頭部と六角ナット２９とで下部円盤２６を挟んで取付部２５を固定することができ、ボルト３０を緩めれば取付部２５をスライド可能にすることができる。
【００２０】
このように、位置調整部材１２の取付部２５が所定の範囲内で水平方向に移動可能であるため、基礎杭が水平方向にずれて打ち込まれても、位置調整部材１２の取付部２５により土台１や柱２の水平方向の取付位置を調整して、建物を建築することができる。これにより、基礎杭を打ち直す時間やコストを省くことができ、基礎杭のずれにより建物が歪むのを防止することもできる。
【００２１】
図１に示すように、位置調整部材１２の取付部２５が本体１１の上部から上方に突出して設けられているため、取付部２５を利用して土台１および柱２を取り付けることができる。すなわち、土台１に厚み方向に貫通した孔を設け、その孔に位置調整部材１２の取付部２５を貫通させて土台１を固定し、土台１の孔を貫通した位置調整部材１２の取付部２５の先端に、柱２の下端部を固定する。こうして、杭基礎用固定装置１０により、土台１および柱２を基礎杭に固定することができる。また、２つの高さ調整部材２３を回転させて基板２１に対し移動させ、土台１の取付高さを調整することができる。なお、取付部２５のボルト３０を利用して、取付部２５に専用の土台取付部材や柱取付部材を取り付けて、土台１や柱２を固定してもよい。
【図面の簡単な説明】
【００２２】
【図１】本発明の実施の形態の杭基礎用固定装置を示す側面図である。
【図２】図１に示す杭基礎用固定装置の（ａ）平面図、（ｂ）底面図である。
【図３】図１に示す杭基礎用固定装置の回転円盤部の（ａ）下部円盤の平面図、（ｂ）中央円盤の平面図、（ｃ）上部円盤の平面図である。
【符号の説明】
【００２３】
１    土台
２    柱
１０  杭基礎用固定装置
１１  本体
１２  位置調整部材
２１  基板
２１ａ  取付孔
２１ｂ  調整用孔
２１ｃ  取付面
２２  杭取付部材
２３  高さ調整部材
２４  回転円盤部
２５  取付部
２６  下部円盤
２６ａ  下部貫通孔
２７  中央円盤
２７ａ  中央貫通孔
２８  上部円盤
２８ａ  上部貫通孔
２９  六角ナット
３０  ボルト
３１  ワッシャ
【図１】
2008261189.tif 000003
【図２】
2008261189.tif 000004
【図３】
2008261189.tif 000005